(57)【要約】 【課題】発信者が発信先を簡単に選択できるアドレス帳を備えた携帯電話を提供する。【解決手段】     携帯電話網を介して発信者と着信者との通話を可能とした携帯電話であって、電話先またはメールの宛先を記憶して表示するアドレス帳と、時刻取得手段を設けるとともに、時刻取得手段に応じて携帯電話のアドレス帳の表示を変更するようにした時間帯アドレス帳表示手段を設け、時間帯アドレス帳表示手段は、時刻取得手段で得られた時刻に応じて、発信時刻と発信する相手先の電話番号をデータベースに蓄積すると共に、そのデータベースの記録内容に応じて表示させるようにしたものである。【選択図】        図２
2007088527.tif 000002
【特許請求の範囲】
【請求項１】
携帯電話網を介して発信者と着信者との通話を可能とした携帯電話であって、電話先またはメールの宛先を記憶して表示するアドレス帳と、時刻取得手段を設けるとともに、時刻取得手段に応じて携帯電話のアドレス帳の表示を変更するようにした時間帯アドレス帳表示手段を設けたことを特徴とする携帯電話。
【請求項２】
請求項１の構成において、時間帯アドレス帳表示手段は、時刻取得手段で得られた時刻に応じて、発信時刻と発信した相手先の電話番号を発信データベースに蓄積すると共に、その発信データベースの記録内容に応じて、その時刻を含む時間帯での発信履歴により、優先して表示させるようにしたことを特徴とする携帯電話。
【請求項３】
請求項１の構成において、アドレス帳には、優先連絡先を時間帯アドレス帳と共に表示する優先連絡先の表示手段を設けたことを特徴とする携帯電話。
【請求項４】
携帯電話網を介して発信者と着信者との通話を可能とした携帯電話であって、電話先またはメールの宛先を記憶して表示するアドレス帳と、時刻取得手段を設けるとともに、時刻取得手段に応じて、携帯電話先の番号と一般電話先の番号との表示優先度を変化させる携帯・一般電話先の切り替え手段を設けたことを特徴とする携帯電話。
【請求項５】
請求項４の構成において、携帯・一般電話の切り替え手段は、時刻取得手段で得られた時刻に応じて、その時刻を含む時間帯での発信履歴により、発信時刻と発信した相手先の電話番号を発信データベースに蓄積すると共に、その発信データベースの記録内容に応じて表示させるようにしたことを特徴とする携帯電話。
【請求項６】
携帯電話網を介して発信者と着信者との通話を可能とした携帯電話であって、電話先またはメールの宛先を記憶して表示するアドレス帳と、発信した相手先の電話番号を発信データベースに蓄積すると共に、その発信データベースの記録内容に応じて、優先して表示させるようにしたことを特徴とする携帯電話。
【発明の詳細な説明】
【技術分野】
【０００１】
本発明は、いわゆる携帯電話やＰＨＳやＰＤＡなどの携帯通信端末のアドレス帳に関する。以降、この明細書においては、これらの携帯通信端末を携帯電話と称する。   
【背景技術】
【０００２】
携帯電話では友人や知人の携帯電話番号をアドレス帳に記憶して、発信できるように構成されている。   
【０００３】
携帯電話は、従来の家庭間同士の連絡というよりも、個人対個人のコミュニケーションを簡単にできる。ただ、携帯電話の連絡先は、携帯電話のアドレス帳に記憶させることができるが、連絡先が増えてくると、「あいうえお順」や「グループ順」での振り分けをしても、連絡先を見つけにくいことがある。
また普通は、連絡先の相手が一般電話と携帯電話の二つの連絡先番号をもっている際にどちらに連絡すべきか迷うことがある。一般電話の方が利用料金が安いので、そちらを使う方が合理的だが、時間帯によっては、相手が一般電話のある住居にいるかどうかが不明なことがあり、携帯電話の連絡先を選んでしまうことが多い。
【０００４】
従来から携帯電話のアドレス帳に関連する発明がいくつも開示されている。
例えば、特開２００５−１０９８９６号公報には、「ＧＰＳ受信機によって検知された現在位置情報に一致する住所情報に対応するグループによってアドレス帳に記憶されたアドレスを名前毎に並び替えて表示する手段」が開示されている。
【０００５】
また、特開２００５−１０１６９８号公報には、「アドレス帳に記憶された期日が、現在期日と所定の範囲になった場合、その相手に対して通話或いはメール送信を促す特定画面が、携帯電話機の表示部に表示される」技術が開示されている。しかし、この技術内容は例えば友人の誕生日などに電話をかけるように促すようなことを目的にしているにすぎない。
【０００６】
また、特開２００３−２７３９７３号公報には、「国の内外で利用可能な携帯情報端末において、自端末が位置する国又は地域に応じて、自端末に登録された各種情報の表示出力を制御する」技術が開示されている。
このように、アドレス帳のアドレスを並び替えて表示する手段は、色々と開示されているが、もっと利用者が簡便に利用できるものが必要とされている。
【０００７】
【特許文献１】特開２００５−１０９８９６号公報
【特許文献２】特開２００５−１０１６９８号公報
【特許文献３】特開２００３−２７３９７３号公報
【発明の開示】
【発明が解決しようとする課題】
【０００８】
しかしながら、携帯電話のアドレス帳は、特に多数の電話連絡先やメール連絡先を保持している場合、探すのが非常に手間である。
【０００９】
そこで本発明は、携帯電話の利用者が簡便にアドレス帳から連絡先を探せるようにすることを目的とする。
【課題を解決するための手段】
【００１０】
上述の課題を解決するため、本発明は以下の構成を備えている。
携帯電話網を介して発信者と着信者との通話を可能とした携帯電話であって、電話先またはメールの宛先を記憶して表示するアドレス帳と、時刻取得手段を設けるとともに、時刻取得手段に応じて携帯電話のアドレス帳の表示を変更するようにした時間帯アドレス帳表示手段を設けたものである。
【００１１】
携帯電話網を介して発信者と着信者との通話を可能とした携帯電話であって、電話先またはメールの宛先を記憶して表示するアドレス帳と、時刻取得手段を設けるとともに、時刻取得手段に応じて携帯電話のアドレス帳の表示を変更するようにした時間帯アドレス帳表示手段を設け、時間帯アドレス帳表示手段は、時刻取得手段で得られた時刻に応じて、発信時刻と発信する相手先の電話番号をデータベースに蓄積すると共に、そのデータベースの記録内容に応じて表示させるようにしたものである。
【００１２】
携帯電話網を介して発信者と着信者との通話を可能とした携帯電話であって、電話先またはメールの宛先を記憶して表示するアドレス帳と、時刻取得手段を設けるとともに、時刻取得手段に応じて携帯電話のアドレス帳の表示を変更するようにした時間帯アドレス帳表示手段を設け、アドレス帳には、優先連絡先を時間帯アドレス帳と共に表示する優先連絡先の表示手段を設けたものである。
【００１３】
携帯電話網を介して発信者と着信者との通話を可能とした携帯電話であって、電話先またはメールの宛先を記憶して表示するアドレス帳と、時刻取得手段を設けるとともに、時刻取得手段に応じて、携帯電話先の番号と一般電話先の番号との表示優先度を変化させる携帯・一般電話先の切り替え手段を設けたものである。
【００１４】
携帯電話網を介して発信者と着信者との通話を可能とした携帯電話であって、電話先またはメールの宛先を記憶して表示するアドレス帳と、時刻取得手段を設けるとともに、時刻取得手段に応じて、携帯電話先の番号と一般電話先の番号との表示優先度を変化させる携帯・一般電話先の切り替え手段を設け  携帯・一般電話の切り替え手段は、時刻取得手段で得られた時刻に応じて、発信時刻と発信する相手先の電話番号をデータベースに蓄積すると共に、そのデータベースの記録内容に応じて表示させるようにしたものである。
【００１５】
携帯電話網を介して発信者と着信者との通話を可能とした携帯電話であって、電話先またはメールの宛先を記憶して表示するアドレス帳と、発信した相手先の電話番号を発信データベースに蓄積すると共に、その発信データベースの記録内容に応じて、優先して表示させるようにしたものである。
【００１６】
以上の構成によって、アドレス帳から連絡先をスムーズに探すことができるようになる。また一般電話に連絡して携帯利用料金を節約できることになる。
【発明の効果】
【００１７】
本発明は、携帯電話網を介して発信者と着信者との通話を可能とした携帯電話であって、電話先またはメールの宛先を記憶して表示するアドレス帳と、時刻取得手段を設けるとともに、時刻取得手段に応じて携帯電話のアドレス帳の表示を変更するようにした時間帯アドレス帳表示手段を設けることで、特定の時刻に携帯電話をかけようとした場合に、その時刻帯によく使う連絡先をアドレス帳から速やかに連絡先を探すことができるようになる。
【００１８】
また、携帯電話網を介して発信者と着信者との通話を可能とした携帯電話であって、電話先またはメールの宛先を記憶して表示するアドレス帳と、時刻取得手段を設けるとともに、時刻取得手段に応じて携帯電話のアドレス帳の表示を変更するようにした時間帯アドレス帳表示手段を設け、時間帯アドレス帳表示手段は、時刻取得手段で得られた時刻に応じて、発信時刻と発信する相手先の電話番号をデータベースに蓄積すると共に、そのデータベースの記録内容に応じて表示させるようにすることで、特に利用者が特に設定しなくても自動的に時間帯に応じた連絡先が表示されるようになる。
【００１９】
また、携帯電話網を介して発信者と着信者との通話を可能とした携帯電話であって、電話先またはメールの宛先を記憶して表示するアドレス帳と、時刻取得手段を設けるとともに、時刻取得手段に応じて携帯電話のアドレス帳の表示を変更するようにした時間帯アドレス帳表示手段を設け、アドレス帳には、優先連絡先を時間帯アドレス帳よりも優先して表示する優先連絡先の表示手段を設けることで、時間帯にかかわらず優先連絡先を共に(例えば上段や下段に)表示するので、優先連絡先と時間帯連絡先を共存させることができる。
【００２０】
また、携帯電話網を介して発信者と着信者との通話を可能とした携帯電話であって、電話先またはメールの宛先を記憶して表示するアドレス帳と、時刻取得手段を設けるとともに、時刻取得手段に応じて、携帯電話先の番号と一般電話先の番号との表示優先度を変化させる携帯・一般電話先の切り替え手段を設けることによって、比較的、安価な一般電話先に連絡して携帯電話の利用料金を節約できる。
【００２１】
また、携帯電話網を介して発信者と着信者との通話を可能とした携帯電話であって、電話先またはメールの宛先を記憶して表示するアドレス帳と、時刻取得手段を設けるとともに、時刻取得手段に応じて、携帯電話先の番号と一般電話先の番号との表示優先度を変化させる携帯・一般電話先の切り替え手段を設け  携帯・一般電話の切り替え手段は、時刻取得手段で得られた時刻に応じて、発信時刻と発信する相手先の電話番号をデータベースに蓄積すると共に、そのデータベースの記録内容に応じて表示させるようにすることで、特に利用者が特に設定しなくても自動的に時間帯に応じた連絡先が表示される
【００２２】
また、携帯電話網を介して発信者と着信者との通話を可能とした携帯電話であって、電話先またはメールの宛先を記憶して表示するアドレス帳と、発信した相手先の電話番号を発信データベースに蓄積すると共に、その発信データベースの記録内容に応じて、優先して表示させるようにすることで、頻繁に発信する相手先の番号やメールアドレスにすばやくアクセスでき、電話番号を探す時間の節約になる。
【実施例１】
【００２３】
以下、本発明の実施の形態について図面を参照して説明する。   
【００２４】
図１は、本発明の携帯電話システムの構成例を示す。   
携帯電話とは、無線通信を利用した、持ち歩ける電話機のことである。基地局(有線ネットワーク)との中継点４と携帯電話１が無線で通信し、他の携帯電話５や６や７などと通信できる。   
【００２５】
そのため、屋外でも使用できる電話機の機能を持つものならば、いわゆる「携帯電話」の他にも「ＰＨＳ」と呼ばれる通信端末や「ＰＤＡ」などをまとめて携帯電話と呼ぶことにする。
また電話のように話すだけではなく、メールを交換したり、サイトからデータをダウンロードすることもできるようになっている。   
携帯電話１は、液晶ディスプレイよりなる表示部２や各種のボタン３Ａ、３Ｂ、３Ｃ、３Ｄ、３Ｅなどを備える。他に無線部、受話部、発信部なども備えているが、図示は省略した。
【００２６】
図２は、本発明における携帯電話の構成を図示したものである。携帯電話の構成自体は公知なので、本発明の構成に対応する部分のみを示している。携帯電話のアドレス帳８は、発信先毎に、複数の人の発信先番号が記憶されている。
時刻取得手段９と通常アドレス帳表示手段１０と時間帯アドレス帳表示手段１１と発信データベース１２と優先連絡先の表示手段１３と携帯・一般電話先の切り替え手段１４である。なお、このデータベース１２は、携帯電話そのものに設けても良いし、携帯連絡網に設けて、そこから読み込む形にしても良い。
【００２７】
従来のアドレス帳は、上述したボタン３Ｃを押すと、液晶ディスプレイよりなる表示部２に表示される。その表示画面を示したのが図３である。
アドレス帳のタブは、「あ行」を示す２１、「か行」を示す２２、「さ行」を示す２３、「た行」を示す２４、「な行」を示す２５、「は行」を示す２６などが表示されている。
さらに、前のタブを表示させる矢印アイコン３０と、後ろのタブを表示させる矢印アイコン３１が表示されている。このタブを切り替えるのは、前記ボタンの３Ｅを矢印に応じて操作して行う。この構成は公知のものである。
【００２８】
この図３に示したのは、「あ行」のタブ２１が選ばれている場合に、下記の人のアドレスが表示される。例えば、
「青山武さん」    ………Ａ１
「伊藤次郎さん」  ………Ａ２
「宇佐美正人さん」………Ａ３
「宇野武彦さん」  ………Ａ４
「小野純平さん」  ………Ａ５
といったように「あ行」の相手先が表示されている。Ａ３の「宇佐美正人さん」の左のアイコンだけ少し変わっていて、左側に「ハートのマーク」のアイコンがついているが、それは「優先連絡先」だからである。なお、図５には図示していないが、「は行」のタブには、同じく「優先連絡先」の「林秀雄さん」が設定されている。
【００２９】
今は、Ａ１の「青山武さん」が反転表示されているが、他の人を選びたい場合には、上述した携帯電話の送りボタン３Ｅを操作すれば良い。
また、以下のようなタブが表示されている。
「か行」のタブ  ………２２
「さ行」のタブ  ………２３
「た行」のタブ  ………２４
「な行」のタブ  ………２５
「は行」のタブ  ………２６
などである。
タブの表示を変更するには、横向き三角印の３０，３１を参考にしながら、上述した携帯電話の送りボタン３Ｅを操作すれば良い。
これらの構成は従来の携帯電話においては周知の構成である。
【００３０】
図４に示すのが本発明の要と言えるアドレス帳の表示である。時刻取得手段に応じて携帯電話のアドレス帳の表示を変更するようにした時間帯アドレス帳表示手段を設けた結果、このような表示になっている。
【００３１】
この図４に例示したのは、「今」のタブＮが表示されている。例えば、
「山本美孝さん」  ………Ｎ１
「笠原太郎さん」  ………Ｎ２
「瀬利正雄さん」  ………Ｎ３
「山田秀  さん」  ………Ｎ４
「宇佐美正人さん」………Ａ３
「林秀雄さん」    ………Ａ７
といったように「時刻取得手段に応じて携帯電話のアドレス帳の表示を変更」しているものである。そのために「今」のタブＮが一番手前に表示されている。その後ろに
「あ行」のタブ  ………２１
「か行」のタブ  ………２２
「さ行」のタブ  ………２３
「た行」のタブ  ………２４
「な行」のタブ  ………２５
が表示されることになる。
この「今」のタブに示されるのは、上述したように、携帯電話網を介して発信者と着信者との通話を可能とした携帯電話であって、電話先またはメールの宛先を記憶して表示するアドレス帳と、時刻取得手段を設けた結果、得られたものである。なお、この機能を使わないように発信者が切り替えできるようにしても良いことは言うまでもない。
【００３２】
また、
「宇佐美正人さん」………Ａ３
「林秀雄さん」    ………Ａ７
は、優先連絡先であり、左側にハートのマークのアイコンがついている。これらの優先連絡先を時間帯アドレス帳と共に表示する優先連絡先の表示手段を設けたことにより、「今」のタブに表示されているわけである。
【００３３】
時刻取得手段９と発信データーベース１２との関連を図５に基づいて説明する。反転表示しているのは、時刻である。例えば、「１７時２０分」がα、「１７時３０分」がβ、「１７時４０分」がγとする。一般電話先に発信している場合には、丸印の中に「般」の文字を入れて表現している。
これらの中で「１７時２０分」台では
Ｒ１の時刻に「笠原氏に発信」
Ｒ２の時刻に「山本氏に発信」
していることが分かる。
同様に「１７時３０分」台では
Ｒ３の時刻に「笠原氏に発信」
Ｒ４の時刻に「山本氏に発信」
Ｒ５の時刻に「山本氏に発信」  （般）一般電話先に発信
していることが分かる。
同様に「１７時４０分」台では
Ｒ６の時刻に「瀬利氏に発信」
Ｒ７の時刻に「山田氏に発信」
Ｒ８の時刻に「山本氏に発信」  （般）一般電話先に発信
している。
【００３４】
これらの情報は発信データベース１２に記録されている。例えば、γの時間帯である「１７時４０分」にアドレス帳を表示させる場合には、以下のような処理が自動実行される。「１７時４０分」前後の発信履歴を参照すると「山本氏」「笠原氏」「瀬利氏」「山田氏」によく電話をかけている。従って、「１７時４０分」にアドレス帳を表示する時には、これらの人の連絡先をアドレス帳として「今」というタブで優先的に表示する方が好ましいことになる。
すなわち、時刻取得手段９に応じて携帯電話のアドレス帳の表示を変更するようにした時間帯アドレス帳表示手段１１を備えさせるのである。
【００３５】
また上述したＲ５の時刻とＲ８の時刻においては、山本氏には、携帯電話番号先ではなく、一般電話先にかけていることが多いという情報も含まれている。従って、例えば、γの時間帯の前後に、山本氏にかける場合、一般電話先に優先的にかけるように構成すると通話料金が安くなるメリットがある。そこで１７：４３に山本氏に電話をかける場合には、図６に示したように、液晶ディスプレイよりなる表示部２にメッセージが表示されることになる。そのメッセージとは、「山本美孝さんに電話します。」という文字表示４０と「１７：４２だと一般電話が良く使われていますが、どうしますか？」という文字表示４１が行われる。そして、一般電話番号「０７５−＊＊＊−＊＊＊＊」を反転させた番号表示４２と携帯電話番号「０９０−＊＊＊＊−＊＊＊＊」を示した番号表示４３が選択自由なように表示される。もちろん、この時間帯の場合で一般電話が用いられていない場合には、上述したような表示は行われない。
【００３６】
なお、この実施例では、電話をかけようとする時刻の前後１０分の幅で判断し、アドレス帳表示を変更させているが、電話をかけようとする時刻を含む後の２０分でも良い。これは、例えば相手が会社などに勤務している場合に、勤務時間後に電話する方が好ましいからである。
【００３７】
なお、１０分の時間幅はあくまでも例示に過ぎず、この時間幅を３０分や６０分や１２０分や３６０分など自由に設定できるようにしても良い。
【００３８】
また、この発信データベースで参照する過去の履歴としては、例えば、最新の３日間でも、最新の７日間でも、最新の１ヶ月でも最新の３ヶ月でも良く、それを自由に設定する方が望ましい。また、その発信データベースのデータ保存期間を利用者が自由に変更できるようにしても良い。
また発信データーベースに使用された曜日単位で管理するように構成した場合には、曜日に対応した便利なアドレス帳の提供を受けることができる。すなわち、例えば水曜日と日曜日で、時間帯に応じたアドレス帳を使い分けて、表示するわけである。
【００３９】
また、この発信データベースには、上述したように電話の相手先の携帯電話番号にかけたのか、一般電話番号にかけたのかを蓄積するように構成しても良い。
【００４０】
なお、別発明の実施形態として、時刻をチェックしない構成にすることも考えられる。例えば、携帯電話網を介して発信者と着信者との通話を可能とした携帯電話であって、電話先またはメールの宛先を記憶して表示するアドレス帳と、発信した相手先の電話番号を発信データベースに蓄積すると共に、その発信データベースの記録内容に応じて、優先して表示させるように構成することである。
【００４１】
図７に本発明のフローチャートを示す。
まずステップＳ１において、「アドレス帳表示ボタンがプッシュされたか否か？」をチェックしている。これは上述したボタンのうち、３Ｃのことである。
次にステップＳ２において、「時刻取得」が時刻取得手段９によって行われる。ステップＳ３においては、「発信データーベースの参照」が行われる。これは、図５に例示したような内容の発信データーベース１２のようなものを指す。
【００４２】
ステップＳ４において、「優先連絡先の参照」が行われる。これは、上述した説明では、例えば「ハートマーク」がついている「宇佐美正人さん」Ａ３や「林秀雄さん」Ａ７など特別に使用者が設定した「優先連絡先」をチェックするという意味である。
【００４３】
ステップＳ５において、「時間帯アドレス帳の表示」が行われる。これは、例えば図４に示したようなものを指す。
「発信したか？」どうかをステップＳ６でチェックし、もしも発信している場合には、ステップＳ７で、発信データーベース１２の更新が行われることになる。これは、図５に例示したような内容の発信データーベース１２のようなものを更新することを意味している。
【００４４】
このようなフローチャートにより制御することで、図２に示したような本発明の「時間帯アドレス帳の表示」を実施できるようになる。
【図面の簡単な説明】
【００４５】
【図１】本発明の携帯電話の構成図である。
【図２】本発明の携帯電話の構成を示す図である。
【図３】従来のアドレス帳の画面を示す図である。
【図４】本発明のアドレス帳の画面を示す図である。
【図５】本発明の発信データベースの内容を説明するための概念図である。
【図６】「一般電話にかけるか」の問い合わせをする画面を示す図である。
【図７】本発明の制御フローチャートを示す図である。
【符号の説明】
【００４６】
８  アドレス帳
９  時刻取得手段
１０  通常アドレス帳表示手段
１１  時間帯アドレス帳表示手段
１２  発信データーベース
１３  優先連絡先の表示手段
１４  携帯・一般電話の切り替え手段
【図１】
2007088527.tif 000003
【図２】
2007088527.tif 000004
【図３】
2007088527.tif 000005
【図４】
2007088527.tif 000006
【図５】
2007088527.tif 000007
【図６】
2007088527.tif 000008
【図７】
2007088527.tif 000009